【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ロングタームエボリューション無認可（ＬＴＥ−Ｕ）デバイスに、無認可通信スペクトル上の送信のための時間間隔を、アクセスポイントによって、割り当てることと、ここで、前記時間間隔は、ダウンリンクモニタリング送信構成（ＤＭＴＣ）ウィンドウ外に、および間欠受信（ＤＲＸ）サイクル内にあり、
前記無認可通信スペクトル上の前記時間間隔の間に信号を、前記アクセスポイントによって、ブロードキャストすることと、前記信号は、前記ＬＴＥ−Ｕデバイスについてのページングインジケーションを備える、
を備える、方法。
【請求項２】
前記時間間隔は、前記ＤＲＸサイクル内のＤＭＴＣウィンドウを備える、請求項１に記載の方法。
【請求項３】
前記アクセスポイントのページング容量の決定に応答して前記ＤＭＴＣウィンドウ外に前記時間間隔を割り当てることをさらに備える、請求項１に記載の方法。
【請求項４】
前記ＤＭＴＣウィンドウの開始は、
( UEID mod NDMTC ) * DMTCperiod_frames * Nsubframes_per_frame + DMTCoffset_frame
に基づいて前記ＬＴＥ−Ｕデバイスに割り当てられ、
ここで、ＵＥＩＤは前記ＬＴＥ−Ｕデバイスの識別子を備え、ここで、ＮＤＭＴＣは前記ＤＲＸサイクル内のＤＭＴＣウィンドウの数を備え、ここで、ＤＭＴＣｐｅｒｉｏｄ＿ｆｒａｍｅｓは後続のＤＭＴＣウィンドウ間のフレームの数を備え、ここで、Ｎｓｕｂｆｒａｍｅｓ＿ｐｅｒ＿ｆｒａｍｅは各フレームにおけるサブフレームの数を備え、ここで、ＤＭＴＣｏｆｆｓｅｔ＿ｆｒａｍｅは前記信号が位置する前記ＤＭＴＣウィンドウの開始時間からのサブフレームの数を備える、請求項３に記載の方法。
【請求項５】
ＮＤＭＴＣは、前記ＤＭＴＣウィンドウが生じる送信期間の持続期間で除算された前記ＤＲＸサイクルの持続時間に基づく、請求項４に記載の方法。
【請求項６】
前記アクセスポイントによって、
前記ＬＴＥ−Ｕデバイスの優先度と、
前記アクセスポイントによってバッファされた前記ＬＴＥ−Ｕデバイスについてのメッセージの優先度と、
前記時間間隔の間に前記媒体を得るための前記アクセスポイントの失敗と、および、
前記ＬＴＥ−Ｕデバイスが前記時間間隔外でページングインジケーションをモニタリングするという前記アクセスポイントによる決定と
のうちの少なくとも１つに基づいて、前記時間間隔外で前記ＬＴＥ−Ｕデバイスに更なるページングインジケーションを送信することをさらに備える、請求項１に記載の方法。
【請求項７】
前記更なるページングインジケーションを含むサブフレームは、前記サブフレームがダウンリンクモニタリング送信構成（ＤＭＴＣ）ウィンドウ外で送信された時に、サブフレーム特有のスクランブリングを使用するパイロットを用いて送られる、請求項６に記載の方法。
【請求項８】
前記ＬＴＥ−Ｕデバイスにバックオフ間隔を、前記アクセスポイントによって、割り当てることと、前記バックオフ間隔は、前記信号がブロードキャストされた後の時間のウィンドウを備える、
前記バックオフ間隔に基づいて、前記信号をブロードキャストした後にランダムアクセスチャネル（ＲＡＣＨ）手順に基づいて前記ＬＴＥ−Ｕデバイスと、前記アクセスポイントによって、接続することと
をさらに備える、請求項１に記載の方法。
【請求項９】
前記信号は、エンハンスド発見基準信号を備える、請求項１に記載の方法。
【請求項１０】
請求項１乃至請求項９のいずれか一項に記載の方法の全てのステップを実行するように構成された手段を備える、装置。
【請求項１１】
ワイヤレス通信の方法であって、
無認可通信スペクトル上のページングインジケーションの受信についての時間間隔を、ロングタームエボリューションの無認可（ＬＴＥ−Ｕ）デバイスによって、決定することと、ここで、前記時間間隔は、ダウンリンクモニタリング送信構成（ＤＭＴＣ）ウィンドウ外に、および間欠受信（ＤＲＸ）サイクル内にあり、
前記無認可通信スペクトル上の前記時間間隔の間に信号を、前記ＬＴＥ−Ｕデバイスによって、受信することと、前記信号は、前記ページングインジケーションを備える、
を備える、方法。
【請求項１２】
前記ＬＴＥ−Ｕデバイスの優先度と、
アクセスポイントによってバッファされた前記ＬＴＥ−Ｕデバイスについてのメッセージの優先度と、
前記ページングインジケーションを含むサブフレームが前記時間間隔内に送られなかったという前記ＬＴＥ−Ｕデバイスによる決定と、
前記時間間隔外のページングインジケーションをモニタリングするという前記ＬＴＥ−Ｕデバイスによる決定と
のうちの少なくとも１つに基づいて、前記時間間隔外の更なるページングインジケーションを、前記ＬＴＥ−Ｕデバイスによって、受信することをさらに備える、請求項１１に記載の方法。
【請求項１３】
前記信号の受信後を待つバックオフ間隔を、前記ＬＴＥ−Ｕデバイスによって、決定することと、
前記信号を受信した後に前記バックオフ間隔を待った後にアクセスポイントでランダムアクセスチャネル（ＲＡＣＨ）手順を、前記ＬＴＥ−Ｕデバイスによって、開始することと
をさらに備える、請求項１１に記載の方法。
【請求項１４】
請求項１１乃至請求項１３のうちのいずれか一項に記載の方法の全てのステップを実行するように構成される手段を備える、装置。
【請求項１５】
請求項１乃至請求項９または請求項１１乃至請求項１３のいずれか一項に記載の方法の全てのステップを実施するためのコンピュータ実行可能なプログラム命令を備える、コンピュータプログラム。
【手続補正２】
【補正対象書類名】明細書
【補正対象項目名】００８９
【補正方法】変更
【補正の内容】
【００８９】
[00100]前述の内容が本開示の態様を対象としている一方、本開示の他のおよびさらなる態様は、その基本的な範囲から逸脱することなしに考案され得、その範囲は、後続する特許請求の範囲によって決定される。
以下に本願の出願当初の特許請求の範囲に記載された発明を付記する。
［Ｃ１］
ワイヤレス通信の方法であって、
ロングタームエボリューション無認可（ＬＴＥ−Ｕ）デバイスに、無認可通信スペクトル上の送信のための時間間隔を、アクセスポイントによって、割り当てることと、および、
前記無認可通信スペクトル上の前記時間間隔の間にアンカー信号を、前記アクセスポイントによって、ブロードキャストすることと、前記アンカー信号は、前記ＬＴＥ−Ｕデバイスについてのページングインジケーションを備える、
を備える、方法。
［Ｃ２］
前記時間間隔は、間欠受信（ＤＲＸ）サイクル内のダウンリンクモニタリング送信構成（ＤＭＴＣ）ウィンドウを備える、Ｃ１に記載の方法。
［Ｃ３］
ダウンリンクモニタリング送信構成（ＤＭＴＣ）ウィンドウ外に、および間欠受信（ＤＲＸ）サイクル内に、前記時間間隔を割り当てることをさらに備える、Ｃ１に記載の方法。
［Ｃ４］
前記アクセスポイントのページング容量の決定に応答して前記ＤＭＴＣウィンドウ外に前記時間間隔を割り当てることをさらに備える、Ｃ３に記載の方法。
［Ｃ５］
前記ＤＭＴＣウィンドウの開始は、
( UEID mod NDMTC ) * DMTCperiod_frames * Nsubframes_per_frame + DMTCoffset_frame
に基づいて前記ＬＴＥ−Ｕデバイスに割り当てられ、
ここで、ＵＥＩＤは前記ＬＴＥ−Ｕデバイスの識別子を備え、ここで、ＮＤＭＴＣは前記ＤＲＸサイクル内のＤＭＴＣウィンドウの数を備え、ここで、ＤＭＴＣｐｅｒｉｏｄ＿ｆｒａｍｅｓは後続のＤＭＴＣウィンドウ間のフレームの数を備え、ここで、Ｎｓｕｂｆｒａｍｅｓ＿ｐｅｒ＿ｆｒａｍｅは各フレームにおけるサブフレームの数を備え、ここで、ＤＭＴＣｏｆｆｓｅｔ＿ｆｒａｍｅは前記アンカー信号が位置する前記ＤＭＴＣウィンドウの開始時間からのサブフレームの数を備える、Ｃ４に記載の方法。
［Ｃ６］
ＮＤＭＴＣは、前記ＤＭＴＣウィンドウが生じる送信期間の持続期間で除算された前記ＤＲＸサイクルの持続時間に基づく、Ｃ５に記載の方法。
［Ｃ７］
前記ＬＴＥ−Ｕデバイスの優先度と、
前記アクセスポイントによってバッファされた前記ＬＴＥ−Ｕデバイスについてのメッセージの優先度と、
前記時間間隔の間に前記媒体を得るための前記アクセスポイントの失敗と、および、
前記ＬＴＥ−Ｕデバイスが前記時間間隔外でページングインジケーションをモニタリングするという前記アクセスポイントによる決定と
のうちの少なくとも１つに基づいて、前記時間間隔外で前記ＬＴＥ−Ｕデバイスに更なるページングインジケーションを送信することをさらに備える、Ｃ１に記載の方法。
［Ｃ８］
前記更なるページングインジケーションを含むサブフレームは、前記サブフレームがダウンリンクモニタリング送信構成（ＤＭＴＣ）ウィンドウ外で送信された時に、サブフレーム特有のスクランブリングを使用するパイロットを用いて送られる、Ｃ７に記載の方法。
［Ｃ９］
前記ＬＴＥ−Ｕデバイスにバックオフ間隔を、前記アクセスポイントによって、割り当てることと、前記バックオフ間隔は、前記アンカー信号がブロードキャストされた後の時間のウィンドウを備える、および
前記バックオフ間隔に基づいて、前記アンカー信号をブロードキャストした後にランダムアクセスチャネル（ＲＡＣＨ）手順に基づいて前記ＬＴＥ−Ｕデバイスと、前記アクセスポイントによって、接続することと
をさらに備える、Ｃ１に記載の方法。
［Ｃ１０］
前記アンカー信号は、エンハンスド発見基準信号を備える、Ｃ１に記載の方法。
［Ｃ１１］
ワイヤレス通信の方法であって、
無認可通信スペクトル上のページングインジケーションの受信についての時間間隔を、ロングタームエボリューションの無認可（ＬＴＥ−Ｕ）デバイスによって、決定することと、および、
前記無認可通信スペクトル上の前記時間間隔の間にアンカー信号を、前記ＬＴＥ−Ｕデバイスによって、受信することと、前記アンカー信号は、前記ページングインジケーションを備える、
を備える、方法。
［Ｃ１２］
前記時間間隔は、間欠受信（ＤＲＸ）サイクル内のダウンリンクモニタリング送信構成（ＤＭＴＣ）ウィンドウを備える、Ｃ１１に記載の方法。
［Ｃ１３］
前記時間間隔は、ダウンリンクモニタリング送信構成（ＤＭＴＣ）ウィンドウ外に、および間欠受信（ＤＲＸ）サイクル内にある、Ｃ１１に記載の方法。
［Ｃ１４］
前記ＤＭＴＣウィンドウの開始は、
( UEID mod NDMTC ) * DMTCperiod_frames * Nsubframes_per_frame + DMTCoffset_frame
に基づいて決定され、
ここで、ＵＥＩＤは前記ＬＴＥ−Ｕデバイスの識別子を備え、ここで、ＮＤＭＴＣは前記ＤＲＸサイクル内のＤＭＴＣウィンドウの数を備え、ここで、ＤＭＴＣｐｅｒｉｏｄ＿ｆｒａｍｅｓは後続のＤＭＴＣウィンドウ間のフレームの数を備え、ここで、Ｎｓｕｂｆｒａｍｅｓ＿ｐｅｒ＿ｆｒａｍｅは各フレームにおけるサブフレームの数を備え、ここで、ＤＭＴＣｏｆｆｓｅｔ＿ｆｒａｍｅは前記アンカー信号が位置する前記ＤＭＴＣウィンドウの開始時間からのサブフレームの数を備える、Ｃ１２に記載の方法。
［Ｃ１５］
ＮＤＭＴＣは、前記ＤＭＴＣウィンドウが生じる送信期間の持続期間で除算された前記ＤＲＸサイクルの持続時間に基づく、Ｃ１４に記載の方法。
［Ｃ１６］
前記ＬＴＥ−Ｕデバイスの優先度と、
アクセスポイントによってバッファされた前記ＬＴＥ−Ｕデバイスについてのメッセージの優先度と、
前記ページングインジケーションを含むサブフレームが前記時間間隔内に送られなかったという前記ＬＴＥ−Ｕデバイスによる決定と、および、
前記時間間隔外のページングインジケーションをモニタリングするという前記ＬＴＥ−Ｕデバイスによる決定と
のうちの少なくとも１つに基づいて、前記時間間隔外の更なるページングインジケーションを、前記ＬＴＥ−Ｕデバイスによって、受信することをさらに備える、Ｃ１１に記載の方法。
［Ｃ１７］
前記更なるページングインジケーションを含むサブフレームは、前記サブフレームがダウンリンクモニタリング送信構成（ＤＭＴＣ）ウィンドウ外で受信された時に、サブフレーム特有のスクランブリングを使用するパイロットを用いて受信される、Ｃ１６に記載の方法。
［Ｃ１８］
前記アンカー信号の受信後を待つバックオフ間隔を、前記ＬＴＥ−Ｕデバイスによって、決定することと、および、
前記アンカー信号を受信した後に前記バックオフ間隔を待った後にアクセスポイントでランダムアクセスチャネル（ＲＡＣＨ）手順を、前記ＬＴＥ−Ｕデバイスによって、開始することと
をさらに備える、Ｃ１１に記載の方法。
［Ｃ１９］
前記ページングインジケーションを、前記ＬＴＥ−Ｕデバイスによって、復号することと、および、
前記ページングインジケーションを復号した後に、前記ＬＴＥ−Ｕデバイスによって前記時間間隔内で更なるページングインジケータをリッスンすること(listening)を停止することと、
をさらに備える、Ｃ１１に記載の方法。
［Ｃ２０］
ワイヤレス通信のためのアクセスポイントであって、
ロングタームエボリューション無認可（ＬＴＥ−Ｕ）デバイスに、無認可通信スペクトル上の送信のための時間間隔を割り当てるように構成された電子ハードウェアプロセッサと、および、
前記無認可通信スペクトル上の前記時間間隔の間にアンカー信号をブロードキャストするように構成された送信機と、前記アンカー信号は、前記ＬＴＥ−Ｕデバイスについてのページングインジケーションを備える
を備える、アクセスポイント。
［Ｃ２１］
前記時間間隔は、間欠受信（ＤＲＸ）サイクル内のダウンリンクモニタリング送信構成（ＤＭＴＣ）ウィンドウを備える、Ｃ２０に記載のアクセスポイント。
［Ｃ２２］
前記プロセッサは、ダウンリンクモニタリング送信構成（ＤＭＴＣ）ウィンドウ外に、および間欠受信（ＤＲＸ）サイクル内に前記時間間隔を割り当てるようにさらに構成される、Ｃ２０に記載のアクセスポイント。
［Ｃ２３］
前記プロセッサは、前記アクセスポイントのページング容量の決定に応答してダウンリンクモニタリング送信構成（ＤＭＴＣ）ウィンドウ外に前記時間間隔を割り当てるようにさらに構成される、Ｃ２２に記載のアクセスポイント。
［Ｃ２４］
前記電子ハードウェアプロセッサは、
( UEID mod NDMTC ) * DMTCperiod_frames * Nsubframes_per_frame + DMTCoffset_frame
に基づいて前記ＬＴＥ−Ｕデバイスに前記ＤＭＴＣウィンドウの開始を割り当てるようにさらに構成され、
ここで、ＵＥＩＤは前記ＬＴＥ−Ｕデバイスの識別子を備え、ここで、ＮＤＭＴＣは前記ＤＲＸサイクル内のＤＭＴＣウィンドウの数を備え、ここで、ＤＭＴＣｐｅｒｉｏｄ＿ｆｒａｍｅｓは後続のＤＭＴＣウィンドウ間のフレームの数を備え、ここで、Ｎｓｕｂｆｒａｍｅｓ＿ｐｅｒ＿ｆｒａｍｅは各フレームにおけるサブフレームの数を備え、ここで、ＤＭＴＣｏｆｆｓｅｔ＿ｆｒａｍｅは前記アンカー信号が位置する前記ＤＭＴＣウィンドウの開始時間からのサブフレームの数を備える、Ｃ２１に記載のアクセスポイント。
［Ｃ２５］
前記電子ハードウェアプロセッサは、前記ＤＭＴＣウィンドウが生じる送信期間の持続期間で除算された前記ＤＲＸサイクルの持続時間に基づいてＮＤＭＴＣを決定するようにさらに構成される、Ｃ２４に記載のアクセスポイント。
［Ｃ２６］
前記送信機は、前記割り当てられた時間間隔外で前記ＬＴＥ−Ｕデバイスに更なるページングインジケーションを送信するようにさらに構成され、ここにおいて、前記電子ハードウェアプロセッサは、
前記ＬＴＥ−Ｕデバイスの優先度と、
前記ＬＴＥ−Ｕデバイスのためにバッファされたメッセージの優先度と、
前記割り当てられた時間間隔の間に前記媒体を得ることの失敗と、および
前記ＬＴＥ−Ｕデバイスが前記割り当てられた時間間隔外でページングインジケーションをモニタリングするという決定と
のうちの少なくとも１つに基づいて前記更なるページングインジケーションをいつ送信するかを決定するように構成される、Ｃ２０に記載のアクセスポイント。
［Ｃ２７］
前記電子ハードウェアプロセッサは、サブフレームがダウンリンクモニタリング送信構成（ＤＭＴＣ）ウィンドウ外で送信されるべきであるとき、サブフレーム特有のスクランブリングを使用するパイロットを用いて前記更なるページングインジケーションを含む前期サブフレームを生成するようにさらに構成され、ここにおいて、前記送信機は、前記サブフレームを送信するようにさらに構成される、Ｃ２６に記載のアクセスポイント。
［Ｃ２８］
前記電子ハードウェアプロセッサは、
前記ＬＴＥ−Ｕデバイスにバックオフ間隔を割り当てることと、前記バックオフ間隔は、前記アンカー信号がブロードキャストされた後の時間のウィンドウを備える、および、  前記バックオフ間隔に基づいて、前記アンカー信号をブロードキャストした後にランダムアクセスチャネル（ＲＡＣＨ）手順に基づいて前記ＬＴＥ−Ｕデバイスと接続することと
を行うようにさらに構成される、Ｃ２０に記載のアクセスポイント。
［Ｃ２９］
ワイヤレス通信のためのロングタームエボリューション無認可（ＬＴＥ−Ｕ）デバイスであって、
無認可通信スペクトル上のページングインジケーションの受信のための時間間隔を決定するように構成された電子ハードウェアプロセッサと、および、
前記無認可通信スペクトル上の前記時間間隔の間にアンカー信号を受信するように構成された受信機と、前記アンカー信号は、前記ページングインジケーションを備える
を備える、ＬＴＥ−Ｕデバイス。
［Ｃ３０］
前記時間間隔は、間欠受信（ＤＲＸ）サイクル内のダウンリンクモニタリング送信構成（ＤＭＴＣ）ウィンドウを備える、Ｃ２９に記載のＬＴＥ−Ｕデバイス。
［Ｃ３１］
前記時間間隔は、ダウンリンクモニタリング送信構成（ＤＭＴＣ）ウィンドウ外に、および間欠受信（ＤＲＸ）サイクル内にある、Ｃ２９に記載のＬＴＥ−Ｕデバイス。
［Ｃ３２］
前記電子ハードウェアプロセッサは、
( UEID mod NDMTC ) * DMTCperiod_frames * Nsubframes_per_frame + DMTCoffset_frame
に基づいて前記ＤＭＴＣウィンドウの開始を決定するようにさらに構成され、
ここで、ＵＥＩＤは前記ＬＴＥ−Ｕデバイスの識別子を備え、ここで、ＮＤＭＴＣは前記ＤＲＸサイクル内のＤＭＴＣウィンドウの数を備え、ここで、ＤＭＴＣｐｅｒｉｏｄ＿ｆｒａｍｅｓは後続のＤＭＴＣウィンドウ間のフレームの数を備え、ここで、Ｎｓｕｂｆｒａｍｅｓ＿ｐｅｒ＿ｆｒａｍｅは各フレームにおけるサブフレームの数を備え、ここで、ＤＭＴＣｏｆｆｓｅｔ＿ｆｒａｍｅは前記アンカー信号が位置する前記ＤＭＴＣウィンドウの開始時間からのサブフレームを備える、Ｃ３０に記載のＬＴＥ−Ｕデバイス。
［Ｃ３３］
前記電子ハードウェアプロセッサは、ＮＤＭＴＣが、前記ＤＭＴＣウィンドウが生じる送信期間の持続期間で除算された前記ＤＲＸサイクルの持続時間に基づくと決定するようにさらに構成される、Ｃ３２に記載のＬＴＥ−Ｕデバイス。
［Ｃ３４］
前記受信機は、前記割り当てられた間隔外で更なるページングインジケーションを受信するようにさらに構成され、ここにおいて、前記電子ハードウェアプロセッサは、
デバイス優先度と、
アクセスポイントによってバッファされたメッセージの優先度と、
前記ページングインジケーションを含むサブフレームが前記割り当てられた間隔内に送られなかったという決定と、および、
前記割り当てられた時間間隔外でページングインジケーションをモニタリングするという決定と
のうちの少なくとも１つに基づいて前記更なるページングインジケーションをいつ受信するかを決定するように構成される、Ｃ２９に記載のＬＴＥ−Ｕデバイス。
［Ｃ３５］
前記受信機は、前記サブフレームがダウンリンクモニタリング送信構成（ＤＭＴＣ）ウィンドウ外で受信された時に、サブフレーム特有のスクランブリングを使用するパイロットを用いて前記更なるページングインジケーションを含むサブフレームを受信するようにさらに構成される、Ｃ３４に記載のＬＴＥ−Ｕデバイス。
［Ｃ３６］
前記電子ハードウェアプロセッサは、
前記アンカー信号の受信後を待つバックオフ間隔を決定することと、および、
前記アンカー信号を受信した後に前記バックオフ間隔を待った後にアクセスポイントでランダムアクセスチャネル（ＲＡＣＨ）手順を開始することと
を行うようにさらに構成される、Ｃ２９に記載のＬＴＥ−Ｕデバイス。
［Ｃ３７］
前記電子ハードウェアプロセッサは、
前記ページングインジケーションを復号することと、および、
前記ページングインジケーションを復号した後に、前記時間間隔内で更なるページングインジケータをリッスンすることを停止することと、
を行うようにさらに備える、Ｃ２９に記載のＬＴＥ−Ｕデバイス。
［Ｃ３８］
ワイヤレス通信のためのアクセスポイントであって、
ロングタームエボリューション無認可（ＬＴＥ−Ｕ）デバイスに、無認可通信スペクトル上の送信のための時間間隔を割り当てるための手段と、および、
前記無認可通信スペクトル上の前記時間間隔の間にアンカー信号をブロードキャストするための手段と、前記アンカー信号は、前記ＬＴＥ−Ｕデバイスについてのページングインジケーションを備える
を備える、アクセスポイント。
［Ｃ３９］
ワイヤレス通信のためのロングタームエボリューション無認可（ＬＴＥ−Ｕ）デバイスであって、
無認可通信スペクトル上のページングインジケーションの受信のための時間間隔を決定するための手段と、および、
前記無認可通信スペクトル上の前記時間間隔の間にアンカー信号を受信するための手段と、前記アンカー信号は、前記ページングインジケーションを備える
を備える、ＬＴＥ−Ｕデバイス。
［Ｃ４０］
非一時的なコンピュータ可読媒体であって、実行されると、
ロングタームエボリューション無認可（ＬＴＥ−Ｕ）デバイスに、無認可通信スペクトル上の送信のための時間間隔を割り当てることと、および、
前記無認可通信スペクトル上の前記時間間隔の間にアンカー信号をブロードキャストすることと、前記アンカー信号は、前記ＬＴＥ−Ｕデバイスについてのページングインジケーションを備える
をアクセスポイントのプロセッサに行わせる命令を記憶した、非一時的なコンピュータ可読媒体。
［Ｃ４１］
非一時的なコンピュータ可読媒体であって、実行されると、
無認可通信スペクトル上のページングインジケーションの受信のための時間間隔を決定することと、および、
前記無認可通信スペクトル上の前記時間間隔の間にアンカー信号を受信することと、前記アンカー信号は、前記ページングインジケーションを備える
をロングタームエボリューション無認可（ＬＴＥ−Ｕ）デバイスのプロセッサに行わせる命令を記憶した、非一時的なコンピュータ可読媒体。